(57)【要約】      （修正有）【課題】倉庫や物品庫に設けられた棚等に置いた場合であっても収納されたシート積層体を容易に取り出すことができる包装容器を提供する。【解決手段】包装容器１０は、第１面２１から第６面２６を備え、第１面と第２面２２は互いに対向し、それぞれ前記シートの短辺に対して略平行で、かつ前記シートが延在する面と交差し、第３面２３と第４面２４は互いに対向し、それぞれ前記シートの長辺に対して略平行で、かつ前記シートが延在する面と交差し、第５面２５と第６面は互いに対向し、それぞれ前記シートが延在する面に対して略平行であり、第１面は、第１の弱化線３１および第２の弱化線３２を備え、第１の弱化線および第２の弱化線に挟まれた除去部３５を除去することで開口部を形成することが可能な包装容器。【選択図】図１
0003232411.tif 000002
【実用新案登録請求の範囲】
【請求項１】
複数の略長方形のシートを積層させたシート積層体を収納する包装容器であって、
第１面から第６面を備え、
前記第１面と前記第２面は互いに対向し、それぞれ前記シートの短辺に対して略平行で、かつ前記シートが延在する面と交差し、
前記第３面と前記第４面は互いに対向し、それぞれ前記シートの長辺に対して略平行で、かつ前記シートが延在する面と交差し、
前記第５面と前記第６面は互いに対向し、それぞれ前記シートが延在する面に対して略平行であり、
前記第１面は、第１の弱化線および第２の弱化線を備え、
前記第１の弱化線は、前記第６面に対して略垂直で、かつ前記第１面と前記第３面との接縁に対して所定の距離をもって離間して延在し、
前記第２の弱化線は、前記第６面に対して略垂直で、かつ前記第１面と前記第４面との接縁に対して所定の距離をもって離間して延在し、
前記第１の弱化線および前記第２の弱化線に挟まれた除去部を除去することで開口部を形成することが可能な包装容器
【請求項２】
複数の略長方形のシートを積層させたシート積層体を収納する包装容器であって、
第１面から第６面を備え、
前記第１面と前記第２面は互いに対向し、それぞれ前記シートの短辺に対して略平行で、かつ前記シートが延在する面と交差し、
前記第３面と前記第４面は互いに対向し、それぞれ前記シートの長辺に対して略平行で、かつ前記シートが延在する面と交差し、
前記第５面と前記第６面は互いに対向し、それぞれ前記シートが延在する面に対して略平行であり、
前記第１面は、第１の弱化線および第２の弱化線を備え、
前記第１の弱化線は、前記第１面と前記第３面との接縁に対して略平行で、かつ所定の距離をもって離間して延在し、
前記第２の弱化線は、前記第１面と前記第４面との接縁に対して略平行で、かつ所定の距離をもって離間して延在し、
前記第１の弱化線および前記第２の弱化線に挟まれた除去部を除去することで開口部を形成することが可能な包装容器
【請求項３】
前記第１の弱化線の一方の端部は前記第１面と前記第５面との接縁に対して所定の距離をもって離間し、
前記第２の弱化線の一方の端部は前記第１面と前記第５面との接縁に対して所定の距離をもって離間し、
前記第１面は、略方形の開口部を設けるための第３の弱化線をさらに備え、
前記第３の弱化線は、前記第１面と前記第５面との前記接縁に対して略平行で、かつ所定の距離をもって離間して延在し、
前記第３の弱化線の一方の端部は前記第１面と前記第３面との前記接縁に対して所定の距離をもって離間するとともに前記第１の弱化線の前記一方の端部と接続し、
前記第３の弱化線の他方の端部は前記第１面と前記第４面との前記接縁に対して所定の距離をもって離間するとともに前記第２の弱化線の前記一方の端部と接続し、
前記第１、前記第２、および前記第３の弱化線に囲まれた領域が前記除去部となる、
請求項１または２に記載の包装容器
【請求項４】
前記第１面の前記第３の弱化線と前記第１面と前記第５面との前記接縁との間の領域には、人間または読取装置によって読み取り可能な情報が記録された表示部を有する、
請求項３に記載の包装容器
【請求項５】
前記第１面の前記第１の弱化線と前記第１面と前記第３面との前記接縁との間の領域、または／および、前記第２の弱化線と前記第１面と前記第４面との前記接縁との間の領域には、人間または読取装置によって読み取り可能な情報が記録された表示部を有する、
請求項１から４のいずれか一項に記載の包装容器
【請求項６】
前記表示部に記録された前記情報は、前記包装容器に収納された前記シートの残量を推定するための情報である、
請求項５に記載の包装容器
【請求項７】
前記表示部に記録された前記情報は、前記包装容器に収納された前記シートに関する情報である、
請求項４から６のいずれか一項に記載の包装容器
【請求項８】
前記第１の弱化線の他方の端部は前記第１面と前記第６面との前記接縁に対して所定の距離をもって離間し、
前記第２の弱化線の他方の端部は前記第１面と前記第６面との前記接縁に対して所定の距離をもって離間し、
前記第１面は、略方形の開口部を設けるための第４の弱化線をさらに備え、
前記第４の弱化線は、前記第１面と前記第６面との前記接縁に対して略平行で、かつ所定の距離をもって離間して延在し、
前記第４の弱化線の一方の端部は前記第１面と前記第３面との前記接縁に対して所定の距離をもって離間するとともに前記第１の弱化線の前記他方の端部と接続し、
前記第４の弱化線の他方の端部は前記第１面と前記第４面との前記接縁に対して所定の距離をもって離間するとともに前記第２の弱化線の前記他方の端部と接続し、
前記第１弱化線、前記第２弱化線、および前記第４弱化線に囲まれた領域が前記除去部となる、
請求項１から７のいずれか一項に記載の包装容器
【請求項９】
前記除去部の縁部に切欠き、又は切欠きを設けるための第５の弱化線をさらに備える、
請求項１から８のいずれか一項に記載の包装容器
【請求項１０】
前記弱化線の少なくとも一部はミシン目によって形成される、
請求項１から９のいずれか一項に記載の包装容器
【請求項１１】
前記シートは、清掃用シートである、
請求項１から１０に記載の包装容器
【請求項１２】
複数の略長方形のシートを積層させたシート積層体を収納したシートディスペンサであって、
第１面から第６面を備え、
前記第１面と前記第２面は互いに対向し、それぞれ前記シートの短辺に対して略平行で、かつ前記シートが延在する面と交差し、
前記第３面と前記第４面は互いに対向し、それぞれ前記シートの長辺に対して略平行で、かつ前記シートが延在する面と交差し、
前記第５面と前記第６面は互いに対向し、それぞれ前記シートが延在する面に対して略平行であり、
前記第１面は第１、第２、第３および第４の縁により略方形に区画された開口部を備え、
前記第１の縁は、前記第６面に対して略垂直で、かつ前記第１面と前記第３面との接縁に対して所定の距離をもって離間して延在し、
前記第２の縁は、前記第６面に対して略垂直で、かつ前記第１面と前記第４面との接縁に対して所定の距離をもって離間して延在し、
前記第３の縁は、前記第１面と前記第５面との接縁に対して略平行で、かつ所定の距離をもって離間して延在し、
前記第４の縁は、前記第１面と前記第６面との接縁に対して略平行で、かつ所定の距離をもって離間して延在している、シートディスペンサ
【請求項１３】
複数の略長方形のシートを積層させたシート積層体を収納したシートディスペンサであって、
第１面から第６面を備え、
前記第１面と前記第２面は互いに対向し、それぞれ前記シートの短辺に対して略平行で、かつ前記シートが延在する面と交差し、
前記第３面と前記第４面は互いに対向し、それぞれ前記シートの長辺に対して略平行で、かつ前記シートが延在する面と交差し、
前記第５面と前記第６面は互いに対向し、それぞれ前記シートが延在する面に対して略平行であり、
前記第１面は第１、第２、第３および第４の縁により略方形に区画された開口部を備え、
前記第１の縁は、前記第１面と前記第３面との接縁に対して略平行で、かつ所定の距離をもって離間して延在し、
前記第２の縁は、前記第１面と前記第４面との接縁に対して略平行で、かつ所定の距離をもって離間して延在し、
前記第３の縁は、前記第１面と前記第５面との接縁に対して略平行で、かつ所定の距離をもって離間して延在し、
前記第４の縁は、前記第１面と前記第６面との接縁に対して略平行で、かつ所定の距離をもって離間して延在している、シートディスペンサ
【請求項１４】
前記シートは、清掃用シートである、
請求項１２または１３に記載のシートディスペンサ
【考案の詳細な説明】
【技術分野】
【０００１】
本開示の一側面は、包装容器およびシートディスペンサに関する。
【背景技術】
【０００２】
特許文献１には、シート材料用包装容器、より具体的には、クレンジングティッシュシートなどの折り畳まれたシートの包装容器が記載されている。切込線が取り出し口の輪郭を描き、取り出し口の細長い部分は容器の上壁部に、取り出し口の横方向に短い部分は前側壁部に位置する。切込線によって区画された上壁部と前側壁部を切込線に沿って切り取ると、取り出し口が現れる。
【０００３】
特許文献２には、引き裂き部分を有し、その引き裂き部分が除去されたときにディスペンサ容器からの個々の引き抜きを可能にするようにそれぞれが配置されたシートのスタックを含むディスペンサ容器について記載されている。容器上面と端部に配置された引き裂き部を完全に取り去ると開口部が形成され、積層された折り畳みシートが露出する。
【０００４】
特許文献３には、シートディスペンサ容器の改良、より具体的には、改良されたティスペンサ容器とスタックされたシートとの組み合わせについて記載されている。シートディスペンサ容器には、上面と隣接する側壁とによって形成される角部を通る連続的に伸びるミシン目等により区画された開口部が設けられている。また、帯状のシート材は、大きな切断部と小さなミシン目部とにより連続する矩形パネルに分割されている。
【先行技術文献】
【特許文献】
【０００５】
【特許文献１】米国特許第２，１１８，３８０号明細書
【特許文献２】米国特許第２，５２９，８５３号明細書
【特許文献３】米国特許第３，１６１，３３６号明細書
【考案の概要】
【考案が解決しようとする課題】
【０００６】
前述した容器においては、収容したシート積層体から１枚のシートを取り出す場合には、容器の開口部の斜め上方からアクセスし、シート積層体の上面を構成するシートを取り出す構造となっており、適切にシートを取り出すには、容器の上方にも一定以上の空間が存在することが前提となっているが、清掃用シートを収容した容器の場合、この容器を倉庫や物品庫に設けられた棚等に保管する場合も少なくない一方で、容器の上にさらに他の物品や箱類が置かれる場合があり、そのままでは収容された清掃用シートを取り出すことが困難となる場合がある。
【課題を解決するための手段】
【０００７】
本開示の一形態にかかる包装容器は、複数の略長方形のシートを積層させたシート積層体を収納する包装容器であって、第１面から第６面を備え、第１面と第２面は互いに対向し、それぞれシートの短辺に対して略平行で、かつシートが延在する面と交差し、第３面と第４面は互いに対向し、それぞれシートの長辺に対して略平行で、かつシートが延在する面と交差し、第５面と第６面は互いに対向し、それぞれシートが延在する面に対して略平行であり、第１面は、第１の弱化線および第２の弱化線を備え、第１の弱化線は、第６面に対して略垂直で、かつ第１面と第３面との接縁に対して所定の距離をもって離間して延在し、第２の弱化線は、第６面に対して略垂直で、かつ第１面と第４面との接縁に対して所定の距離をもって離間して延在し、第１の弱化線および第２の弱化線に挟まれた除去部を除去することで開口部を形成することが可能となっている。
【０００８】
この形態にかかる包装容器は、シートの短辺に略平行で、シートが延在する面と交差する第１面に除去部が設けられており、除去部を除去することにより容易に矩形の開口部を形成けることができる。これにより開口部に露出したシート積層体に含まれる１枚のシートを、シートの延在方向にシートを引き出すことで取り出すことが可能となる。また、第１弱化線と第１面と第３面の接縁との間の領域と、第２弱化線と第１面と第４面の接縁との間の領域は、除去部を除去して開口部を形成した後にも第１面の一部として残りストッパとして機能することから、シートの引き出し時に引き出し対象となったシート以外のシートを容器内に留め置くことが可能となる。
【０００９】
本開示の別の一形態にかかる包装容器は、複数の略長方形のシートを積層させたシート積層体を収納する包装容器であって、第１面から第６面を備え、第１面と第２面は互いに対向し、それぞれシートの短辺に対して略平行で、かつシートが延在する面と交差し、第３面と第４面は互いに対向し、それぞれシートの長辺に対して略平行で、かつシートが延在する面と交差し、第５面と第６面は互いに対向し、それぞれシートが延在する面に対して略平行であり、第１面は、第１の弱化線および第２の弱化線を備え、第１の弱化線は、第１面と第３面との接縁に対して略平行で、かつ所定の距離をもって離間して延在し、第２の弱化線は、第１面と第４面との接縁に対して略平行で、かつ所定の距離をもって離間して延在し、第１の弱化線および第２の弱化線に挟まれた除去部を除去することで開口部を形成することが可能となっている。
【００１０】
この形態にかかる包装容器は、シートの短辺に略平行で、シートが延在する面と交差する第１面に除去部が設けられており、除去部を除去することにより容易に開口部を形成けることができる。これにより開口部に露出したシート積層体に含まれる１枚のシートを、シートの延在方向にシートを引き出すことで取り出すことが可能となる。また、第１弱化線と第１面と第３面の接縁との間の領域と、第２弱化線と第１面と第４面の接縁との間の領域は、除去部を除去して開口部を形成した後にも第１面の一部として残りストッパとして機能することから、シートの引き出し時に引き出し対象となったシート以外のシートを容器内に留め置くことが可能となる。
【００１１】
本開示の別の一形態にかかるシートディスペンサは、複数の略長方形のシートを積層させたシート積層体を収納したシートディスペンサであって、第１面から第６面を備え、第１面と第２面は互いに対向し、それぞれシートの短辺に対して略平行で、かつシートが延在する面と交差し、第３面と第４面は互いに対向し、それぞれシートの長辺に対して略平行で、かつシートが延在する面と交差し、第５面と第６面は互いに対向し、それぞれシートが延在する面に対して略平行であり、第１面は第１、第２、第３および第４の縁により略方形に区画された開口部を備え、第１縁は、第６面に対して略垂直で、かつ第１面と第３面との接縁に対して所定の距離をもって離間して延在し、第２縁は、第６面に対して略垂直で、かつ第１面と第４面との接縁に対して所定の距離をもって離間して延在し、第３縁は、第１面と第５面との接縁に対して略平行で、かつ所定の距離をもって離間して延在し、第４縁は、第１面と第６面との接縁に対して略平行で、かつ所定の距離をもって離間して延在している。
【００１２】
この形態にかかるシートディスペンサは、シートの短辺に略平行で、シートが延在する面と交差する第１面に矩形の開口部が形成されている。これにより開口部に露出したシート積層体に含まれる１枚のシートを、シートの延在方向にシートを引き出すことで取り出すことが可能となる。また、第１縁と第１面と第３面の接縁との間の領域と、第２縁と第１面と第４面の接縁との間の領域は、ストッパとして機能することから、シートの引き出し時に引き出し対象となったシート以外のシートを容器内に留め置くことが可能となる。
【００１３】
本開示の別の一形態にかかるシートディスペンサは、複数の略長方形のシートを積層させたシート積層体を収納したシートディスペンサであって、第１面から第６面を備え、第１面と第２面は互いに対向し、それぞれシートの短辺に対して略平行で、かつシートが延在する面と交差し、第３面と第４面は互いに対向し、それぞれシートの長辺に対して略平行で、かつシートが延在する面と交差し、第５面と第６面は互いに対向し、それぞれシートが延在する面に対して略平行であり、第１面は第１、第２、第３および第４の縁により略方形に区画された開口部を備え、第１縁は、第１面と第３面との接縁に対して略平行で、かつ所定の距離をもって離間して延在し、第２縁は、第１面と第４面との接縁に対して略平行で、かつ所定の距離をもって離間して延在し、第３縁は、第１面と第５面との接縁に対して略平行で、かつ所定の距離をもって離間して延在し、第４縁は、第１面と第６面との接縁に対して略平行で、かつ所定の距離をもって離間して延在している。
【００１４】
この形態にかかるシートディスペンサは、シートの短辺に略平行で、シートが延在する面と交差する第１面に開口部が形成されている。これにより開口部に露出したシート積層体に含まれる１枚のシートを、シートの延在方向にシートを引き出すことで取り出すことが可能となる。また、第１縁と第１面と第３面の接縁との間の領域と、第２縁と第１面と第４面の接縁との間の領域は、ストッパとして機能することから、シートの引き出し時に引き出し対象となったシート以外のシートを容器内に留め置くことが可能となる。
【考案の効果】
【００１５】
本開示によれば、倉庫や物品庫内の棚に保管されていても、包装容器を棚から取り出すことなく容易に清掃用シートを１枚取りだすことが容易になり、清掃作業の準備作業を削減することが可能となる。
【図面の簡単な説明】
【００１６】
【図１】図１は、実施形態にかかる包装容器の例を示す斜視図である。
【図２】図２は、実施形態にかかる包装容器にシート積層体を収納する状態を示す斜視図である。
【図３】図３は、実施形態にかかる包装容器の除去部を除去し開口部を設けた状態（シートディスペンサ）の斜視図である。
【図４】図４は、実施形態にかかる包装容器（シートディスペンサ）から清掃用シートを引き出す状態を示す斜視図である。
【図５】図５は、実施形態にかかる包装容器（シートディスペンサ）から引き出した清掃用シートの使用態様を示す斜視図である。
【図６Ａ】図６Ａは、第１変形例にかかる包装容器およびシートディスペンサの例を示す斜視図である。
【図６Ｂ】図６Ｂは、第２変形例にかかる包装容器およびシートディスペンサの例を示す斜視図である
【図６Ｃ】図６Ｃは、第３変形例にかかる包装容器およびシートディスペンサの例を示す斜視図である。
【図６Ｄ】図６Ｄは、第４変形例にかかる包装容器およびシートディスペンサの例を示す斜視図である。
【図７】図７は、第５変形例にかかる包装容器およびシートディスペンサの例を示す斜視図である。
【図８Ａ】図８Ａは、第６変形例にかかる包装容器の例を示す斜視図である。
【図８Ｂ】図８Ｂは、第７変形例にかかる包装容器の例を示す斜視図である。
【図８Ｃ】図８Ｃは、第８変形例にかかる包装容器の例を示す斜視図である。
【考案を実施するための形態】
【００１７】
以下では、図面を参照しながら本開示にかかる包装容器、シートディスペンサの実施形態について説明する。図面の説明において、同一又は相当する要素には同一の符号を付し、重複する説明を適宜省略する。また、図面は、理解の用意のため、一部を簡略化または誇張して描いている場合があり、寸法比率および角度は図面に記載のものに限定されない。
【００１８】
本開示にかかる包装容器は、清掃用シートを収納し包装する。本開示において、「清掃用シート」は、清掃をするときに用いられるシート状の払拭具を示しており、「清掃」は対象となる物を掃除することを示している。「収納」は中に収めることを示しており、「包装容器」は物の少なくとも一部を覆った状態で当該物を保持することを示している。
【００１９】
図１は、実施形態にかかる包装容器１０を示す斜視図である。図１に示されるように、例示的な包装容器１０は、直方体形状（例えば、長さ約４５０ｍｍ、幅約１３５ｍｍ、高さ約１４０ｍｍ）を有し、第１面２１、第２面２２、第３面２３、第４面２４、第５面２５および第６面２６を備え、後述の図２に示すように、第１面２１から第６面２６の内面によって収納部２７が形成される。
【００２０】
収納部２７には、略長方形のシート（清掃用シート１２）が複数枚積層されたシート積層体１３が収納される。略長方形のシートは、シート自体が収納部２７と略同一の長さ及び幅を有する略長方形（例えば、長さ約４３０ｍｍ、幅約１１５ｍｍ）であってよく、または、それよりも大きなサイズのシートが収納部２７と略同一の長さおよび幅に折りたたまれた略長方形形状であってもよい。シート積層体１３は、複数の略長方形のシートの短辺、長辺をそれぞれ互いに重ね合わすように積層させたもので、略直方体形状（例えば、長さ約４３０ｍｍ、幅約１１５ｍｍ、高さ約１３０ｍｍ）を有する。
【００２１】
収納部２７にシート積層体１３を収納した状態において、包装容器１０の第１面２１は、シート積層体１３を構成するシート（清掃用シート１２）の短辺と略平行で、シートが延在する面に対して交差する。シートの延在面と第１面２１の交差角は垂直であってよく、また、１２０度、１１０度、１００度、８０度、７０度、６０度など他の角度であってもよい。第２面２２は、第１面と対向し、シート積層体１３を構成するシート（清掃用シート１２）の短辺と略平行で、シートが延在する面に対して交差する。シートの延在面と第２面２２の交差角は垂直であってよく、また、１２０度、１１０度、１００度、８０度、７０度、６０度など他の角度であってもよい。第３面２３は、シート積層体１３を構成するシート（清掃用シート１２）の長辺と略平行で、シートが延在する面に対して交差する。シートの延在面と第３面２３の交差角は垂直であってよく、また、１２０度、１１０度、１００度、８０度、７０度、６０度など他の角度であってもよい。第４面２４は、第３面と対向し、シート積層体１３を構成するシート（清掃用シート１２）の長辺と略平行で、シートが延在する面に対して交差する。シートの延在面と第４面２４の交差角は垂直であってよく、また、１２０度、１１０度、１００度、８０度、７０度、６０度など他の角度であってもよい。第５面２５は、シート積層体１３を構成するシート（清掃用シート１２）が延在する面に対して略平行に位置する。第６面２６は、第５面と対向し、シート積層体１３を構成するシート（清掃用シート１２）が延在する面に対して略平行に位置する。なお、第１面２１を正面と規定した場合には、第２面２２は背面、第３面２３は右側面、第４面２４は左側面、第５面２５は上面、第６面２６は底面に相当するものとなる。
【００２２】
第１面２１は、第１から第４の弱化線３１，３２，３３，３４が設けられている。ここで、弱化線とは容易に分離可能とされた線をいい、例えばミシン目、ハーフカット等の加工の他、容易に分離可能であれば、接着、粘着、溶着等の手段を用いることができる。
【００２３】
第１弱化線３１は、第１面２１と第３面２３との接縁２１ａに対して所定の距離ｄ１をもって離間して設けられており、距離ｄ１は、例えば１０ｍｍ以上３０ｍｍ以下とすることができる。また、第１弱化線３１は、第６面に対して垂直であってもよく、または接縁２１ａに対して平行であってもよい。第１弱化線３１が、接縁２１ａに対して平行ではない場合において距離ｄ１は、最も接近した場所における距離をいう。
【００２４】
第２弱化線３２は、第１面２１と第４面２４との接縁２１ｂに対して所定の距離ｄ２をもって離間して設けられており、距離ｄ２は、例えば１０ｍｍ以上３０ｍｍ以下とすることができる。また、第２弱化線３２は、第６面に対して垂直であってもよく、または接縁２１ｂに対して平行であってもよい。第２弱化線３２が、接縁２１ｂに対して平行ではない場合において距離ｄ２は、最も接近した場所における距離をいう。
【００２５】
第３弱化線３３は、第１面２１と第５面２５との接縁２１ｃに対して所定の距離ｄ３をもって離間して設けられており、距離ｄ３は、例えば０ｍｍ以上９０ｍｍ以下とすることができる。また、第３弱化線３３は、第５面に対して平行であってもよく、または第６面に対して平行であってもよい。第３弱化線３３が、接縁２１ｃに対して平行ではない場合において距離ｄ３は、最も接近した場所における距離をいう。なお、距離ｄ３を大きめに設定した場合（例えば、４０ｍｍ以上、５０ｍｍ以上、または６０ｍｍ以上）には、後述する表示部３９を配置する場所として利用することができる。
【００２６】
第４弱化線３４は、第１面２１と第６面２６との接縁２１ｄに対して所定の距離ｄ４をもって離間して設けられており、距離ｄ４は、例えば０ｍｍ以上２５ｍｍ以下とすることができる。また、第４弱化線３４は、第５面に対して平行であってもよく、または第６面に対して平行であってもよい。第４弱化線３３が、接縁２１ｄに対して平行ではない場合において距離ｄ４は、最も接近した場所における距離をいう。
【００２７】
第１弱化線の第５面に近接する側の端と、第３弱化線の第３面に近接する側の端は互いに接続され、第１弱化線の第６面に近接する側の端と、第４弱化線の第３面に近接する側の端は互いに接続されている。また、第２弱化線の第５面に近接する側の端と、第３弱化線の第４面に近接する側の端は互いに接続され、第２弱化線の第６面に近接する側の端と、第４弱化線の第４面に近接する側の端は互いに接続されている。これにより第１から第４の弱化線により区画された除去部３５が設けられる。除去部３５を除去することにより、第１面２１には開口部３８を形成することができる。
【００２８】
除去部３５の縁部、すなわち第１から第４の弱化線に接続するように曲線状の第５弱化線を設けることができる。例えば、第５弱化線は、第３弱化線上の２０ｍｍ程度離間した任意の２点を結ぶ半円形とすることができる。この場合、第３弱化線と第５弱化線とで囲まれた半円形の領域を指で押して半円形の貫通穴（切欠）を容易に形成することができる。形成された切欠は、除去部３５を除去する際に有効である。第５弱化線の起点・終点となる２点を結ぶ第５弱化線は、半円形に限定されるものではなく、除去部３５を除去する際に指をかけることができる大きさ、形状であればよく、例えば半楕円形、円弧、矩形等の形状でもよい。また、第５弱化線の起点・終点となる２点は、同一の弱化線上に設定する必要はなく、隣接する２つの弱化線に１点ずつ設定されてもよい。なお、第５弱化線に代わり、同一の場所にあらかじめ貫通した切欠部を設けてもよい。
【００２９】
第１面２１には、情報を表示する表示部３９を設けてもよい。第１面２１上の開口部３８以外のいずれの場所に設けてもよく、例えば、接縁２１ａと第１弱化線とに挟まれた領域、接縁２１ｂと第２弱化線とに挟まれた領域、接縁２１ｃと第３弱化線とに挟まれた領域、接縁２１ｄと第４弱化線とに挟まれた領域のいずれかまたは複数を含むように設けることができる。特に接縁２１ｃと第３弱化線とに挟まれた領域は、大きな面積を割り当てても十分な除去部３５（開口部３８）を確保することができる点有利である。なお、開口部３８を形成後には不要となる情報の表示については、除去部３５内に表示されていてもよい。
【００３０】
表示部３９に記録される情報の内容には特に制限はなく、人間の視覚により、または読み取り装置等により読み取り可能な任意の情報を記録することができる。例えば、収納物に関する情報（例えば商標、品名、型番、仕様、内容量、ロット番号など）を表示すると倉庫や物品庫に設けられた棚等に保管していても収容物の識別が容易にできるものとなる。また、記録される情報は、文字情報に限定されるものではなく、バーコード等の読み取り装置用の識別表示がされてもよい。例えば、再購入や問い合わせのための電話番号やＵＲＬ等を二次元バーコードとして表示しておくと有用である。
【００３１】
表示部３９の表示態様に特に制限はなく、表示したい情報があらかじめ直接印刷されてもよく、罫線のみが印刷されているところに必要な情報が手書きで記入されてもよく、表示したい情報を保持したスタンプが押されてもよく、また、表示したい情報を表示したラベルが貼付されてもよい。
【００３２】
図２は、包装容器１０に、収納物（シート積層体１３）を収納する状態を示したものである。図２に示すように、包装容器１０は、蓋２８となっている一面（例えば第５面２５）を開くことにより、収納部２７にアクセス可能となっている。包装容器１０にシート積層体１３を収納する際には、まず、蓋２８を開放し収納部２７にアクセス可能な状態としたうえで、収納部２７の上方からシート積層体１３を降ろして収納部２７内に置き、蓋２８を閉じることにより収納作業が完了し、図１に示すようなシート積層体１３を収納した包装容器１０となる。
【００３３】
図２において、蓋２８は片開き形状となっているが、蓋２８を開放した時に収納部２７に容易にアクセス可能であれば蓋２８の構造は特に制限されず、両開き形状としてもよく、またはその他の構造とすることができる。また、図２では、蓋２８は第５面２５に設けられているが、蓋２８を開放した時に収納部２７に容易にアクセス可能で、かつ、開口部３８の形成の障害にならないものであれば特に制限はなく、第１面や第３面など他の面に設けてもよい。
【００３４】
図３および図４を用いて、包装容器１０をシートディスペンサ１１として使用する場合について説明する。図１に示すようなシート積層体１３を収納した包装容器１０について、第１面２１に設けられた除去部３５を除去すると開口部３８が形成される（図３）。なお、第１から第４の弱化線３１、３２、３３、３４は、それぞれ開口部３８の第１から第４の縁を構成するものとなる。開口部３８が形成されたことにより、第１面２１の裏面に隣接するシート積層体１３の一部、すなわち、シート積層体１３を構成する清掃用シート１２の短辺の一部が、開口部３８を通じて包装容器１０の外部に対して露出した状態となっている。
【００３５】
ここで、図４に示すように、開口部３８を通じて露出した状態の清掃用シート１２の１枚について、縁を指でつまみ、清掃用シート１２の延在方向（長軸方向）手前に引くことで、清掃用シート１２を１枚だけ取り出すことができる。これは、第１弱化線２１により形成された開口部３８の縁（第１縁）と接縁２１ａとの間の領域、および第２弱化線２２により形成された開口部３８の縁（第２縁）と接縁２１ｂとの間の領域が、ストッパとして機能し、縁を指でつまんでいる引き出し対象の清掃用シート１２以外の清掃用シートが包装容器１０の外に引き出されるのを留め置くためである。
【００３６】
なお、開口部３８は、前述した清掃用シート１２の取出口として機能するほか、包装容器１０に収納された清掃用シート１２の残量確認窓としても機能する。この場合、残量が少なくなっても残量の視認が容易との観点において、第４弱化線２４により形成された開口部３８の縁と接縁２１ｄとの間の領域の幅、すなわち距離ｄ４は小さな値をとることが有効であり、例えば清掃用シート数枚分の厚さと同程度の値をとることができる。
【００３７】
図５は、包装容器１０から引き出した清掃用シート１２について、清掃具Ｔを用いて使用する場合の使用態様を示す斜視図である。清掃具Ｔは、柄Ｔ１と、柄Ｔ１の一端において柄Ｔ１から広がる清掃部Ｔ２とを備える。清掃部Ｔ２は、柄Ｔ１の一端に設けられており、柄Ｔ１を揺動可能（図５の例では左右方向および前後方向に揺動可能）に保持するヒンジ部Ｔ３を備える。清掃部Ｔ２がヒンジ部Ｔ３を介して柄Ｔ１に取り付けられていることにより、清掃部Ｔ２は柄Ｔ１に対する角度が変更可能な状態で柄Ｔ１に保持される。なお、本開示において、清掃具の形状、大きさおよび種類は、上記の清掃具Ｔの例に限られず、適宜変更可能である。
【００３８】
清掃部Ｔ２におけるヒンジ部Ｔ３の反対側の面（下面）には、清掃用シート１２が貼り付け可能とされている。例えば、清掃部Ｔ２のヒンジ部Ｔ３との反対側の面には、面ファスナーが設けられており、清掃部Ｔ２の面ファスナーが清掃用シート１２に接触することによって清掃部Ｔ２に清掃用シート１２が取り付けられる。しかしながら、清掃具Ｔに取り付けられる清掃用シート１２の取付手段は面ファスナー以外の物であってもよく、清掃具Ｔに対する清掃用シート１２の取り付けの構成は適宜変更可能である。
【００３９】
包装容器１０、シートディスペンサ１１の素材は、特に限定されないが、例えば、紙を用いてもよい。より具体的には段ボールであってもよい。また、段ボール以外の紙（例えば厚紙）であってもよい。この場合、収納された清掃用シート１２を消費したのちに容易に廃棄できる点において有効である。
【００４０】
次に、本開示にかかる包装容器およびシートディスペンサの種々の変形例について説明する。ただし、本開示にかかる包装容器およびシートディスペンサは、後述する各変形例に限定されるものではない。なお、変形例にかかる包装容器およびシートディスペンサのそれぞれは、一部の構成が前述した包装容器１０およびシートディスペンサ１１のそれぞれの構成と重複するため、重複する部分については説明を適宜省略する。
【００４１】
（第１変形例）
図６Ａは、第１変形例にかかる包装容器１１０およびシートディスペンサ１１１の例を示す斜視図である。距離ｄ３およびｄ４を０ｍｍに設定することにより、清掃用シート１２の積層方向に開口部１３８を最大化したものである。これにより、包装容器１１０（シートディスペンサ１１１）内の清掃用シートの残量を視認しやすくなる。また、最後の１枚まで容易に引き出すことが可能となる。
【００４２】
（第２変形例）
図６Ｂは、第２変形例にかかる包装容器２１０およびシートディスペンサ２１１の例を示す斜視図である。距離ｄ４を０ｍｍに設定することにより、表示部を確保しつつ、包装容器２１０（シートディスペンサ２１１）内の清掃用シートの残量を視認しやすくしたものである。また、最後の１枚まで容易に引き出すことが可能となる。
【００４３】
（第３変形例）
図６Ｃは、第３変形例にかかる包装容器３１０およびシートディスペンサ３１１の例を示す斜視図である。距離ｄ３を距離ｄ４と同程度に設定することにより、包装容器３１０（シートディスペンサ３１１）の強度の低下を抑制しつつ、開口部３３８を大きく取ることで包装容器３１０（シートディスペンサ３１１）内の清掃用シートの残量を視認しやすくしたものである。
【００４４】
（第４変形例）
図６Ｄは、第４変形例にかかる包装容器４１０およびシートディスペンサ４１１の例を示す斜視図である。第４弱化線を鉤型として、距離ｄ４の一部を０ｍｍに設定することにより、包装容器４１０（シートディスペンサ４１１）内の清掃用シートの残量を視認しやすくしたものである。また、開口部４３８の狭幅部と広幅部の境界線を清掃用シート１２の残量の目安とすることが可能となる。
【００４５】
（第５変形例）
図７は、第５変形例にかかる包装容器５１０およびシートディスペンサ５１１の例を示す斜視図である。第１弱化線（第１縁）と接縁２１ａとの間の領域に表示部５３９を設けたものである。表示部５３９には、清掃用シート１２の残量を推定するための表示、具体的には目盛りが表示されている。これにより、ユーザーは未使用の清掃用シートの枚数を推定することができるようになる。
【００４６】
（第６変形例）
図８Ａは、第６変形例にかかる包装容器６１０およびシートディスペンサ６１１の例を示す斜視図である。中央部が第５面に近接するように緩やかに湾曲した第３弱化線６３３を備えるものである。これにより除去部を除去する際、第５弱化線６３６によって形成される切欠を用いた除去が容易に行えるようになる。
【００４７】
（第７変形例）
図８Ｂは、第７変形例にかかる包装容器７１０およびシートディスペンサ７１１の例を示す斜視図である。中央部が第５面に近接するように逆Ｖ字型の第３弱化線７３３を備えるものである。これにより除去部を除去する際、第５弱化線７３６によって形成される切欠を用いた除去が容易に行えるようになる。
【００４８】
（第８変形例）
図８Ｃは、第８変形例にかかる包装容器８１０およびシートディスペンサ８１１の例を示す斜視図である。中央部が第５面に近接するようにかぎ型に屈曲した第３弱化線８３３を備えるものである。これにより除去部を除去する際、第５弱化線８３６によって形成される切欠を用いた除去が容易に行えるようになる。
【００４９】
以上、本開示にかかる包装容器およびシートディスペンサの実施形態および変形例について説明した。しかしながら、本開示は、前述した実施形態または各変形例に限定されるものではない。すなわち、本開示にかかる包装容器およびシートディスペンサの各部の形状、大きさ、数、材料および配置態様は適宜変更可能である。
【００５０】
例えば、前述の実施形態および変形例では、１つの部品で構成される包装容器およびシートディスペンサについて説明したが、複数の部品によって構成されるものであってもよい。ただし、部品の数が１つである場合、包装容器およびシートディスペンサをより管理しやすいという利点がある。また、包装容器およびシートディスペンサが複数の部品によって構成される場合、複数の部品の材料は、互いに同一であってもよいし、互いに異なっていてもよい。例えば、複数の部品のうちの一部は紙製であり、複数の部品のうちの残部は樹脂製または金属製であってもよい。
【００５１】
また、前述では、実施形態および第１から第８変形例について説明したが、包装容器およびシートディスペンサの構成は、これらの実施形態および変形例とはさらに異なる物であってもよい。また、本開示にかかる包装容器およびシートディスペンサは、実施形態および第１から第８変形例のうちの複数が組み合わされたものであってもよい。
【符号の説明】
【００５２】
１０、１１０、２１０、３１０、４１０、５１０、６１０、７１０、８１０…包装容器、１１、１１１、２１１、３１１、４１１、５１１、６１１、７１１、８１１…シートディスペンサ、１２…清掃用シート、１３…シート積層体、２１…第１面、２２…第２面、２３…第３面、２４…第４面、２５…第５面、２６…第６面、２７…収納部、３１…第１弱化線、３２…第２弱化線、３３、６３３、７３３、８３３…第３弱化線、３４…第４弱化線、３５…除去部、３６、６３６、７３６、８３６…第５弱化線、３７…切欠、３８、１３８、２３８、３３８、４３８…開口部、３９、５３９…表示部
【図１】
0003232411.tif 000003
【図２】
0003232411.tif 000004
【図３】
0003232411.tif 000005
【図４】
0003232411.tif 000006
【図５】
0003232411.tif 000007
【図６Ａ】
0003232411.tif 000008
【図６Ｂ】
0003232411.tif 000009
【図６Ｃ】
0003232411.tif 000010
【図６Ｄ】
0003232411.tif 000011
【図７】
0003232411.tif 000012
【図８Ａ】
0003232411.tif 000013
【図８Ｂ】
0003232411.tif 000014
【図８Ｃ】
0003232411.tif 000015